(57)【要約】本発明で提案している突然死予防機能を有する乳児用ベッドによれば、通風が可能な格子構造を有するベッド本体と、通気性に優れた空気層を含むマットレス本体と、ベッド本体の下部に底部を介した空気の流れが可能な空気層を形成するベッド本体用支持台座とを含んで構成することによって、背中を当てて仰向けの状態で寝ていた乳児が、寝返りを打って鼻を押し付けて寝たとしても、空気の流れが可能になることによって、乳児の窒息事故による乳児突然死を根本的に防止できるようにすることができる。
2019526366.tif 000002
【特許請求の範囲】
【請求項１】
突然死予防機能を有する乳児用ベッド（１００）であって、
上部が開放された四角フレームの形状で通風が可能な格子構造を有するベッド本体（１１０）と、
前記ベッド本体（１１０）内に収容されて設置され、背中を当てて仰向けの状態で寝ていた乳児が、寝返りを打って鼻を押し付けてうつ伏せに寝たとしても、窒息事故による突然死が防止され得るように空気層を含むマットレス本体（１２０）と、
前記ベッド本体（１１０）の下部に設置されて底部を支持し、かつ空気の流れが可能な空気層を形成するベッド本体用支持台座（１３０）とを含み、
前記ベッド本体（１１０）は、
格子状の本体底部（１１１）と、前記本体底部（１１１）に垂直に連結されて４面が一体化された格子状の本体枠（１１２）とから構成され、開放された上部が広く、前記本体底部（１１１）に行くほど狭くなる上広下狭の構造で構成され、
前記マットレス本体（１２０）は、
上部が開放された四角フレームの形状で通風が可能な格子構造を有するベッド本体（１１０）の内部に収容設置されて、本体底部（１１１）及び本体枠（１１２）の４面をカバーできるように折り畳まれる折り畳み形態で構成し、
前記ベッド本体用支持台座（１３０）は、
前記ベッド本体（１１０）の本体底部（１１１）と部屋の床面との間に配置されて、前記ベッド本体（１１０）を支持しながらも、空気層を介した部屋の床面からの空気の流れが可能なようにし、
前記マットレス本体（１２０）は、
前記ベッド本体（１１０）の本体底部（１１１）に位置して配置される中心マットレス（１２１）と、前記中心マットレス（１２１）の４面に一体に形成されてそれぞれ折り畳まれ、前記ベッド本体（１１０）の本体枠（１１２）の４面をカバーする４つの羽根マットレス（１２２）とを含んで構成し、前記４つの羽根マットレス（１２２）は、前記ベッド本体（１１０）の本体枠（１１２）の４面をカバーし、乳児が寝返りを打ったり転がる動作による衝突時に乳児に伝わる衝撃を吸収するためのバンパー機能の役割を果たし、
前記ベッド本体用支持台座（１３０）は、
前記ベッド本体（１１０）の本体底部（１１１）の４箇所の各隅部に独立してそれぞれ設置される脚部（１３１）として構成されるか、または前記ベッド本体（１１０）の本体底部（１１１）の形状に対応する大きさを有する四角形の台座（１３２）として構成され、前記四角形の台座（１３２）は、４面の枠に空気の流れが可能な通風口（１３３）を形成し、前記ベッド本体（１１０）を支持する上部が開放形態の構造で構成されることを特徴とする、突然死予防機能を有する乳児用ベッド。
【請求項２】
前記ベッド本体（１１０）は、
前記本体底部（１１１）と前記本体枠（１１２）とが一体化された四角フレーム形状であって、プラスチック、木材、及び金属のいずれか１つまたは２つ以上の素材で構成することを特徴とする、請求項１に記載の突然死予防機能を有する乳児用ベッド。
【発明の詳細な説明】
【技術分野】
【０００１】
本発明は、突然死予防機能を有する乳児用ベッドに関し、より具体的には、通風が可能な格子構造を有するベッド本体内に、通気性に優れた空気層を含むマットレス本体が収容設置され、ベッド本体の下部に底部を介した空気の流れが可能な空気層を形成するベッド本体用支持台座が支持されるように構成することによって、背中を当てて仰向けの状態で寝ていた乳児が、寝返りを打って鼻を押し付けて寝たとしても、空気の流れが可能になることによって、乳児の窒息事故による乳児突然死を根本的に防止できる突然死予防機能を有する乳児用ベッドに関する。
【背景技術】
【０００２】
一般に、乳児突然死症候群（Ｓｕｄｄｅｎ  Ｉｎｆａｎｔ  Ｄｅａｔｈ  Ｓｙｎｄｒｏｍｅ）は、剖検や死亡当時の状況及び病歴検討などの死後検査でも死亡原因が明らかにならない乳児や幼児の突然の死のことをいう。世界的に１０００人出生当たり約１〜３人が乳児突然死症候群で死亡し、先進国では乳児死亡で最もよく見られる原因である。
【０００３】
このような乳児突然死は、生後２〜４ヶ月の乳児に最も頻発し、主に子供が眠っている間に発生することが特徴である。乳児突然死の発生原因は、母体の喫煙や薬物服用、低い出産年齢や栄養不足、妊娠間隔が短い場合に乳児突然死が発生することがあり、新生児の成長障害、未熟児、窒息、服の着せ過ぎ、柔らかすぎる布団、うつ伏せに寝かせること、季節的な要因も理由となり得る。
【０００４】
このような要因の中で、乳児の睡眠姿勢と母の喫煙が特に関連が多いと推定されているが、うつ伏せ寝の子供が仰向け寝の子供よりも、乳児突然死で死亡する頻度が約３倍以上高い。乳児突然死を予防するためには、妊娠中の喫煙やカフェインの摂取をやめなければならず、出産後にも自制することがよく、また、乳児を柔らかすぎる布団や枕に寝かせず、寝かせる時にも、うつ伏せに寝かせるよりは仰向けに寝かせることがよい。これは、眠っている間に姿勢が変わりながら危険になるおそれがあるためである。眠っている間に現れる子供の小さな変化に注意を払うことがより重要である。米国立小児健康発育研究センターと疾病対策センターが調査発表した報告書によれば、うつ伏せ寝の子供が突然死する可能性は、仰向け寝の子供に比べて２．４〜４倍程度高いものと調査されている。
【０００５】
大韓民国公開特許公報第１０−２００９−００７３４１１号は乳児用安全寝具であって、乳児の窒息事故や乳児突然死を事前に予防するために、乳児が常に仰向けの姿勢を維持できるようにする乳児用安全寝具を開示している。このような乳児用安全寝具は、乳児衣服に第１固定手段を形成し、寝具用マットに第２固定手段を形成して乳児の動きを制限するようにしている。これは、第１固定手段が形成された多数の乳児衣服を必要とし、経済的な負担をもたらすという問題があった。
【発明の概要】
【発明が解決しようとする課題】
【０００６】
本発明は、従来に提案された方法の上記のような問題点を解決するために提案されたものであって、通風が可能な格子構造を有するベッド本体、通気性に優れた空気層を含むマットレス本体、及びベッド本体の下部に底部を介した空気の流れが可能な空気層を形成するベッド本体用支持台座を含んで構成することによって、背中を当てて仰向けの状態で寝ていた乳児が、寝返りを打って鼻を押し付けて寝たとしても、空気の流れが可能になることによって、乳児の窒息事故による乳児突然死を根本的に防止できるようにする、突然死予防機能を有する乳児用ベッドを提供することをその目的とする。
【０００７】
また、本発明は、マットレス本体はもとより、ベッド本体及びベッド本体用支持台座の全体の構成を、空気の流れが可能な空気層を形成する構造を採用して構成することによって、乳児が寝返りを打って鼻がマットレスに押し付けられても、乳児が呼吸の不便なしに安定に息をすることができるようにして、乳児の安らかな睡眠状態が維持され得るようにし、これは、従来の乳児用ベッドが有する密閉された構造によって窒息事故が発生する問題を根本的に予防できるようにする、突然死予防機能を有する乳児用ベッドを提供することを他の目的とする。
【０００８】
それだけでなく、本発明は、マットレス本体をベッド本体内の形状に対応して折り畳まれる折り畳み形態で構成することによって、洗濯のためのマットレスの分離時にもユーザが容易に分離できるようにする使用の利便性を向上させることができるようにする、突然死予防機能を有する乳児用ベッドを提供することを更に他の目的とする。
【課題を解決するための手段】
【０００９】
上記の目的を達成するための本発明の特徴による突然死予防機能を有する乳児用ベッドは、
突然死予防機能を有する乳児用ベッドであって、
上部が開放された四角フレームの形状で通風が可能な格子構造を有するベッド本体；
前記ベッド本体内に収容されて設置され、背中を当てて仰向けの状態で寝ていた乳児が、寝返りを打って鼻を押し付けてうつ伏せに寝たとしても、窒息事故による突然死が防止され得るように空気層を含むマットレス本体；及び
前記ベッド本体の下部に設置されて底部を支持し、かつ空気の流れが可能な空気層を形成するベッド本体用支持台座を含むことをその構成上の特徴とする。
【００１０】
好ましくは、前記ベッド本体は、
格子状の本体底部と、前記本体底部に垂直に連結されて４面が一体化された格子状の本体枠とから構成されてもよい。
【００１１】
より好ましくは、前記ベッド本体は、
前記本体底部と前記本体枠とが一体化された四角フレーム形状であって、プラスチック、木材、及び金属のいずれか１つまたは２つ以上の素材で構成することができる。
【００１２】
好ましくは、前記マットレス本体は、
上部が開放された四角フレームの形状で通風が可能な格子構造を有するベッド本体の内部に収容設置されて、本体底部及び本体枠の４面をカバーできるように折り畳まれる折り畳み形態で構成することができる。
【００１３】
より好ましくは、前記マットレス本体は、
前記ベッド本体の本体底部に位置して配置される中心マットレス；及び
前記中心マットレスの４面に一体に形成されてそれぞれ折り畳まれ、前記ベッド本体の本体枠の４面をカバーする４つの羽根マットレスを含んで構成することができる。
【００１４】
より好ましくは、前記４つの羽根マットレスは、
前記ベッド本体の本体枠の４面をカバーし、乳児が寝返りを打ったり転がる動作による衝突時に乳児に伝わる衝撃を吸収するためのバンパー機能の役割を果たすことができる。
【００１５】
より好ましくは、前記ベッド本体用支持台座は、
前記ベッド本体の本体底部の４箇所の各隅部に独立してそれぞれ設置される脚部として構成することができる。
【００１６】
より好ましくは、前記ベッド本体用支持台座は、
前記ベッド本体の本体底部の形状に対応する大きさを有する四角形の台座として構成され、
前記四角形の台座は、
４面の枠に空気の流れが可能な通風口を形成し、前記ベッド本体を支持する上部が開放または格子形態の構造で構成されてもよい。
【発明の効果】
【００１７】
本発明で提案している突然死予防機能を有する乳児用ベッドによれば、通風が可能な格子構造を有するベッド本体、通気性に優れた空気層を含むマットレス本体、及びベッド本体の下部に底部を介した空気の流れが可能な空気層を形成するベッド本体用支持台座を含んで構成することによって、背中を当てて仰向けの状態で寝ていた乳児が、寝返りを打って鼻を押し付けて寝たとしても、空気の流れが可能になることによって、乳児の窒息事故による乳児突然死を根本的に防止することができる。
【００１８】
また、本発明によれば、マットレス本体はもとより、ベッド本体及びベッド本体用支持台座の全体の構成を、空気の流れが可能な空気層を形成する構造を採用して構成することによって、乳児が寝返りを打って鼻がマットレスに押し付けられても、乳児が呼吸の不便なしに安定に息をすることができるようにして、乳児の安らかな睡眠状態が維持され得るようにし、これは、従来の乳児用ベッドが有する密閉された構造によって窒息事故が発生する問題を根本的に予防できるようにすることができる。
【００１９】
それだけでなく、本発明は、マットレス本体をベッド本体内の形状に対応して折り畳まれる折り畳み形態で構成することによって、洗濯のためのマットレスの分離時にもユーザが容易に分離できるようにする使用の利便性を向上させることができる。
【図面の簡単な説明】
【００２０】
【図１】本発明の一実施例に係る突然死予防機能を有する乳児用ベッドの分解斜視図の構成を示した図である。
【図２】本発明の一実施例に係る突然死予防機能を有する乳児用ベッドの平面図の構成を示した図である。
【図３】本発明の一実施例に係る突然死予防機能を有する乳児用ベッドに適用されるベッド本体用支持台座の一例の斜視図の構成を示した図である。
【図４】本発明の一実施例に係る突然死予防機能を有する乳児用ベッドに適用されるベッド本体用支持台座の一変形例の斜視図の構成を示した図である。
【図５】本発明の一実施例に係る突然死予防機能を有する乳児用ベッドの斜視図の構成を示した図である。
【発明を実施するための形態】
【００２１】
以下、添付の図面を参照して、本発明の属する技術分野における通常の知識を有する者が本発明を容易に実施できるように好ましい実施例を詳細に説明する。但し、本発明の好ましい実施例を詳細に説明するにおいて、関連する公知機能又は構成に対する具体的な説明が本発明の要旨を不必要に曖昧にすると判断される場合には、その詳細な説明を省略する。また、類似の機能及び作用をする部分に対しては、図面全体にわたって同一の符号を使用する。
【００２２】
なお、明細書の全体において、ある部分が他の部分と「連結」されているとする場合、これは、「直接的に連結」されている場合だけでなく、それらの間に他の素子を介在して「間接的に連結」されている場合も含む。また、ある構成要素を「含む」ということは、特に反対の記載がない限り、他の構成要素を除外するものではなく、他の構成要素をさらに含むことができることを意味する。
【００２３】
図１は、本発明の一実施例に係る突然死予防機能を有する乳児用ベッドの分解斜視図の構成を示した図であり、図２は、本発明の一実施例に係る突然死予防機能を有する乳児用ベッドの平面図の構成を示した図であり、図３は、本発明の一実施例に係る突然死予防機能を有する乳児用ベッドに適用されるベッド本体用支持台座の一例の斜視図の構成を示した図であり、図４は、本発明の一実施例に係る突然死予防機能を有する乳児用ベッドに適用されるベッド本体用支持台座の一変形例の斜視図の構成を示した図であり、図５は、本発明の一実施例に係る突然死予防機能を有する乳児用ベッドの斜視図の構成を示した図である。図１乃至図５にそれぞれ示されたように、本発明の一実施例に係る突然死予防機能を有する乳児用ベッド１００は、ベッド本体１１０、マットレス本体１２０、及びベッド本体用支持台座１３０を含んで構成され得る。
【００２４】
ベッド本体１１０は、上部が開放された四角フレームの形状で通風が可能な格子構造を有する構成である。このようなベッド本体１１０は、格子状の本体底部１１１と、本体底部１１１に垂直に連結されて４面が一体化された格子状の本体枠１１２とから構成され得る。ここで、ベッド本体１１０は、本体底部１１１と本体枠１１２とが一体化された四角フレーム形状であって、プラスチック、木材、及び金属のいずれか１つまたは２つ以上の素材を用いて構成することができる。また、ベッド本体１１０は、開放された上部が広く、本体底部１１１に行くほど狭くなる上広下狭の構造で構成され得、このような上広下狭の構造を有するベッド本体１１０は、後述するマットレス本体１２０の折り畳まれる４つの羽根マットレス１２２が、ベッド本体１１０の本体枠１１２に安定かつ容易に設置され、固定され得るようにする。
【００２５】
マットレス本体１２０は、ベッド本体１１０内に収容されて設置され、背中を当てて仰向けの状態で寝ていた乳児が、寝返りを打って鼻を押し付けてうつ伏せに寝たとしても、窒息事故による突然死が防止され得るように空気層を含むマットレスの構成である。このようなマットレス本体１２０は、９０％以上の空気層を形成する構造であって、上部が開放された四角フレームの形状で通風が可能な格子構造を有するベッド本体１１０の内部に収容設置されて、本体底部１１１及び本体枠１１２の４面をカバーできるように折り畳まれる折り畳み形態で構成することができる。ここで、マットレス本体１２０は、ベッド本体１１０の本体底部１１１に位置して配置される中心マットレス１２１と、中心マットレス１２１の４面に一体に形成されてそれぞれ折り畳まれ、ベッド本体１１０の本体枠１１２の４面をカバーする４つの羽根マットレス１２２とを含んで構成され得る。このとき、４つの羽根マットレス１２２は、ベッド本体１１０の本体枠１１２の４面をカバーし、乳児が寝返りを打ったり転がる動作による衝突時に乳児に伝わる衝撃を吸収するためのバンパー機能の役割を果たすことができる。このようなマットレス本体１２０は、空気層を含む構造の優れた通気性により、乳児がうつぶせ寝の姿勢を取っても窒息事故及び突然死を防止できるようにする利点を有する。ここで、マットレス本体１２０は、多くの空気層を含む形態の構造であって、通常の３Ｄメッシュマットレス構造又はエアリーマットレス構造と同一または類似の構造が採用されるものと理解することができ、特にこれに制限しない。
【００２６】
ベッド本体用支持台座１３０は、ベッド本体１１０の下部に設置されて底部を支持し、かつ空気の流れが可能な空気層を形成する構成である。このようなベッド本体用支持台座１３０は、ベッド本体１１０の本体底部１１１と部屋の床面との間に配置されて、ベッド本体１１０を支持しながらも、空気層を介した部屋の床面からの空気の流れが可能なようにしている。ここで、ベッド本体用支持台座１３０は、図１に示されたように、ベッド本体１１０の本体底部１１１の４箇所の各隅部に独立してそれぞれ設置される脚部１３１として構成することができる。また、ベッド本体用支持台座１３０は、図３乃至図５に示されたように、ベッド本体１１０の本体底部１１１の形状に対応する大きさを有する四角形の台座１３２として構成することができ、ここで、四角形の台座１３２は、４面の枠に空気の流れが可能な通風口１３３を形成し、ベッド本体１１０を支持する上部が開放または格子形態の構造で構成されてもよい。このような四角形の台座１３２は、脚部１３１とは異なり、ベッド本体１１０の下部から着脱可能な形態でベッド本体１１０を固定して支持するものとして理解することができる。
【００２７】
図２は、本発明の一実施例に係る突然死予防機能を有する乳児用ベッドの平面図の構成であって、乳児用ベッド１００のマットレス本体１１０に乳児が横たわっている状態を示している。図３は、ベッド本体用支持台座１３０を四角形の台座１３２として形成した構成であって、上部と下部が貫通する開放構造を示し、図４は、ベッド本体用支持台座１３０を四角形の台座１３２として形成した構成であって、上部が格子形態の構造からなる構成を一例として示している。図５は、乳児用ベッド１００の下部に配置されるベッド本体用支持台座１３０を四角形の台座１３２として形成した一例の構成を示している。
【００２８】
上述したように、本発明の一実施例に係る突然死予防機能を有する乳児用ベッドによれば、通風が可能な格子構造を有するベッド本体、通気性に優れた空気層を含むマットレス本体、及びベッド本体の下部に底部を介した空気の流れが可能な空気層を形成するベッド本体用支持台座を含み、乳児用ベッドの構造の全体を空気の流れが可能な通風形態で構成することによって、背中を当てて仰向けの状態で寝ていた乳児が、寝返りを打って鼻を押し付けて寝たとしても、空気の流れが可能になることによって、乳児の窒息事故による乳児突然死が根本的に防止され、乳児が寝返りを打って鼻がマットレスに押し付けられても、乳児が呼吸の不便なしに安定に息をすることができるようにして、乳児の安らかな睡眠状態が維持され得るようにし、これは、従来の乳児用ベッドが有する密閉された構造によって窒息事故が発生する問題を根本的に予防できるようにする。また、マットレス本体をベッド本体内の形状に対応して折り畳まれる折り畳み形態で構成することによって、洗濯のためのマットレスの分離時にもユーザが容易に分離できるようにする使用の利便性を向上させることができるようにする。
【００２９】
以上で説明した本発明は、本発明の属する技術分野における通常の知識を有する者によって様々な変形や応用が可能であり、本発明に係る技術的思想の範囲は、下記の特許請求の範囲によって定められるべきである。
【符号の説明】
【００３０】
１００    本発明の一実施例に係る突然死予防機能を有する乳児用ベッド
１１０    ベッド本体
１１１    本体底部
１１２    本体枠
１２０    マットレス本体
１２１    中心マットレス
１２２    羽根マットレス
１３０    ベッド本体用支持台座
１３１    脚部
１３２    四角形の台座
１３３    通風口
【図１】
2019526366.tif 000003
【図２】
2019526366.tif 000004
【図３】
2019526366.tif 000005
【図４】
2019526366.tif 000006
【図５】
2019526366.tif 000007
【国際調査報告】
2019526366.tif 000008
2019526366.tif 000009
2019526366.tif 000010
2019526366.tif 000011